(57)【要約】【課題】配色バランスのとれた印刷画像を創作する。【解決手段】印刷画像を表示する表示部１５と、印刷画像と合成される複数のフレームと、フレームに用いられている文字の色に対応する色識別データとが関連づけて格納されたメモリ１６と、ユーザによって選択されたフレーム８０及び印刷画像８１を合成して表示部１５に表示する合成手段２１と、印刷画像８１及びフレーム８０の合成画像８２に追加される文字Ｌを入力する入力手段とを備え、入力手段より入力される文字Ｌの色を色識別データに対応する色に設定する。【選択図】図７
2009088932.tif 000002
【特許請求の範囲】
【請求項１】
印刷画像を表示する表示部と、
上記印刷画像と合成される複数のフレームと、上記フレームに用いられている文字の色に対応する色識別データとが関連づけて格納されたメモリと、
ユーザによって選択された上記フレーム及び上記印刷画像を合成して上記表示部に表示する合成手段と、
上記印刷画像及び上記フレームの合成画像に追加される文字を入力する入力手段とを備え、
上記入力手段より入力される文字の色を上記色識別データに対応する色に設定する画像編集装置。
【請求項２】
さらに、上記表示部に表示され、上記入力手段より入力された文字の色を変更する複数の色候補を有する色選択パレットを備えることを特徴とする請求項１記載の画像編集装置。
【請求項３】
印刷画像を表示する表示部と、
上記印刷画像と合成される複数のフレームが格納されたメモリと、
ユーザによって選択された上記フレーム及び上記印刷画像を合成して上記表示部に表示する合成手段と、
上記印刷画像及び上記フレームの合成画像に追加される文字を入力する入力手段と、
上記表示部に表示された上記合成画像におけるフレームの任意の位置を指定する指定手段と、
上記指定手段により指定された位置の色を抽出する抽出手段とを備え、
上記入力手段により入力された文字の文字色を上記抽出手段により抽出された色に設定する画像編集装置。
【請求項４】
さらに、上記表示部に表示され、上記入力手段より入力された文字の色を変更する複数の色候補を有する色選択パレットを備えることを特徴とする請求項３記載の画像編集装置。
【請求項５】
ユーザに選択された画像データと、ユーザに選択されたフレームデータとを合成して表示部に表示する工程と、
入力手段によって上記サムネイルと上記フレームとの合成画像に追加される文字が入力される工程と、
上記選択されたフレームに用いられている文字の色に対応する色識別データを参照して、上記入力手段より入力された文字の色を上記色識別データに対応する色に設定する工程とを有する画像編集方法。
【請求項６】
ユーザに選択された画像データと、ユーザに選択されたフレームデータとを合成して表示部に表示する工程と、
入力手段によって上記サムネイルと上記フレームとの合成画像に追加される文字が入力される工程と、
指定手段によって指定された、上記表示部に表示された合成画像におけるフレームの指定位置の色識別データを抽出する工程と、
上記入力手段より入力された文字の色を、上記抽出手段により抽出された色に設定する工程とを有する画像編集方法。
【請求項７】
画像編集装置の制御コンピュータに、
ユーザに選択された画像データと、ユーザに選択されたフレームデータとを合成して表示部に表示する工程と、
入力手段によって上記サムネイルと上記フレームとの合成画像に追加される文字が入力される工程と、
上記選択されたフレームに用いられている文字の色に対応する色識別データを参照して、上記入力手段より入力された文字の色を上記色識別データに対応する色に設定する工程を実行させる画像編集プログラム。
【請求項８】
画像編集装置の制御コンピュータに、
ユーザに選択された画像データと、ユーザに選択されたフレームデータとを合成して表示部に表示する工程と、
入力手段によって上記サムネイルと上記フレームとの合成画像に追加される文字が入力される工程と、
指定手段によって指定された、上記表示部に表示された合成画像におけるフレームの指定位置の色識別データを抽出する工程と、
上記入力手段より入力された文字の色を、上記抽出手段により抽出された色に設定する工程を実行させる画像編集プログラム。
【発明の詳細な説明】
【技術分野】
【０００１】
本発明は、印刷画像を編集する画像編集装置に関し、特に、外部記録媒体から読み込んだ画像に編集を施し、プリンタ装置によって編集画像を印刷することができる画像編集装置に関する。
【背景技術】
【０００２】
従来より、大型家電量販店や駅、ホテル等の公共の場に、デジタルスチルカメラやカメラ付き携帯電話等の撮像装置で撮影した画像データを印刷するプリントキオスク端末が設置され、広く用いられている。この種のプリントキオスク端末は、ユーザが持参した画像データが記録されたメモリカードが挿入され、当該メモリカードから画像データを読み出してモニタに一覧表示する。ユーザは、モニタに一覧表示された画像データの中から印刷したい画像データを指定し、印刷を実行していく。
【０００３】
また従来よりプリントキオスク端末は、読み込んだ画像に画像の周囲を縁取るフレームを合成して印刷する手法が提案されている。フレームには季節やクリスマス等のイベントに応じたレタリング文字やイラスト等がデザインされており、ユーザの嗜好や季節、イベントに応じた装飾が施された写真を印刷することが可能となる。この種のフレームや文字、イラスト等は、予めプリントキオスク端末内のメモリ内にテンプレートとして格納されており、ユーザは、モニタに表示されたテンプレートの中から好みのフレームを選択し、合成画像を確認してから印刷を行うことができる。
【０００４】
さらに、プリントキオスク端末は、文字入力手段を設け、フレーム内にユーザが好きな文字を書き加えることも可能である。ここで、入力された文字の色は、表示部に表示された色パレットの中からユーザが指定することにより決定されるが、色パレットの選択肢は無数に用意され、フレームにそぐう色を指定することが困難であった。フレームはデザイナーによって創作されており、予め記載されたレタリング文字やイラストに使用されている色も無数の色の中からフレームのモチーフやベースに用いた色に合うように吟味して選択されたものであるため、ユーザがこのフレームにマッチした色を選択することは困難であり、ユーザが選択した色によって配色バランスを崩し、着色した文字がフレームデザインから浮いてしまうこともある。
【０００５】
【特許文献１】特開２００５−１１７４３８号公報
【発明の開示】
【発明が解決しようとする課題】
【０００６】
そこで、本発明は、予め設定されたフレームデザインにマッチした文字色を容易に選択することができ、配色バランスのとれた印刷画像を創作することができる画像編集装置、画像編集方法及び画像編集プログラムを提供することを目的とする。
【課題を解決するための手段】
【０００７】
上述した課題を解決するために、本発明に係る画像編集装置は、印刷画像を表示する表示部と、上記印刷画像と合成される複数のフレームと、上記フレームに用いられている文字の色に対応する色識別データとが関連づけて格納されたメモリと、ユーザによって選択された上記フレーム及び上記印刷画像を合成して上記表示部に表示する合成手段と、上記印刷画像及び上記フレームの合成画像に追加される文字を入力する入力手段とを備え、上記入力手段より入力される文字の色を上記色識別データに対応する色に設定するものである。
【０００８】
また本発明に係る画像編集装置は、印刷画像を表示する表示部と、上記印刷画像と合成される複数のフレームが格納されたメモリと、ユーザによって選択された上記フレーム及び上記印刷画像を合成して上記表示部に表示する合成手段と、上記印刷画像及び上記フレームの合成画像に追加される文字を入力する入力手段と、上記表示部に表示された上記合成画像におけるフレームの任意の位置を指定する指定手段と、上記指定手段により指定された位置の色を抽出する抽出手段とを備え、上記入力手段により入力された文字の文字色を上記抽出手段により抽出された色に設定するものである。
【０００９】
また本発明に係る画像編集方法は、ユーザに選択された画像データと、ユーザに選択されたフレームデータとを合成して表示部に表示する工程と、入力手段によって上記サムネイルと上記フレームとの合成画像に追加される文字が入力される工程と、上記選択されたフレームに用いられている文字の色に対応する色識別データを参照して、上記入力手段より入力された文字の色を上記色識別データに対応する色に設定する工程とを有するものである。
【００１０】
また本発明に係る画像編集方法は、ユーザに選択された画像データと、ユーザに選択されたフレームデータとを合成して表示部に表示する工程と、入力手段によって上記サムネイルと上記フレームとの合成画像に追加される文字が入力される工程と、指定手段によって指定された、上記表示部に表示された合成画像におけるフレームの指定位置の色識別データを抽出する工程と、上記入力手段より入力された文字の色を、上記抽出手段により抽出された色に設定する工程とを有するものである。
【００１１】
また本発明に係る画像編集プログラムは、画像編集装置の制御コンピュータに、ユーザに選択された画像データと、ユーザに選択されたフレームデータとを合成して表示部に表示する工程と、入力手段によって上記サムネイルと上記フレームとの合成画像に追加される文字が入力される工程と、上記選択されたフレームに用いられている文字の色に対応する色識別データを参照して、上記入力手段より入力された文字の色を上記色識別データに対応する色に設定する工程を実行させるものである。
【００１２】
また本発明に係る画像編集プログラムは、画像編集装置の制御コンピュータに、ユーザに選択された画像データと、ユーザに選択されたフレームデータとを合成して表示部に表示する工程と、入力手段によって上記サムネイルと上記フレームとの合成画像に追加される文字が入力される工程と、指定手段によって指定された、上記表示部に表示された合成画像におけるフレームの指定位置の色識別データを抽出する工程と、上記入力手段より入力された文字の色を、上記抽出手段により抽出された色に設定する工程を実行させるものである。
【発明の効果】
【００１３】
本発明によれば、フレームに追加入力された文字は、フレームに使用されている色と同色に設定される。フレームに予め使用されている文字等は、レタリングやベース色との組み合わせも含め、無数の色の組み合わせの中からデザイナーによって吟味されて選択されたものであるため、後からユーザが書き加えた文字も、予め記載された文字等と同色とすることで、フレーム内における配色バランスを保つことができる。
【発明を実施するための最良の形態】
【００１４】
以下、本発明に係る画像編集装置について、図面を参照しながら詳細に説明する。この画像編集装置は、例えば駅やホテルなどの公共の場に設置され、ユーザが持参したメモリカード等のリムーバル記憶媒体に記憶されている画像データを印刷するサービスを提供するプリントキオスク端末に適用されるプリントシステムに用いられるものである。このプリントシステムは、写真が印刷されることに鑑み、プリンタ装置に、色再現性に優れる昇華型熱転写方式のプリンタが用いられている。
【００１５】
図１に示すように、本発明が適用されたプリントシステム１は、メモリカード等のリムーバル記録媒体より画像データが入力され印刷する画像データを表示し選択、編集させるための画像編集装置１０と、画像編集装置１０で選択された画像データを印刷するプリンタ装置３０とを備えている。そして、例えば、画像編集装置１０とプリンタ装置３０とは、有線又は無線で接続されており、隣り合うように設置され、あるいは一つの筐体内に組み込まれている。
【００１６】
図２に示すように、プリントシステム１を構成する画像編集装置１０は、ユーザが持参したリムーバル記録媒体を読み出すための各種ドライブを備えている。具体的に、フラッシュメモリ等の半導体メモリを記憶素子に用いＵＳＢ（Universal Serial Bus）インタフェースで記憶素子に記憶された画像データを読み出すＵＳＢフラッシュメモリリーダ１１と、ＣＤ（Compact Disc）、ＤＶＤ（Digital Versatile Disk）等の光ディスクより画像データを読み出す光ディスクドライブ１２と、フラッシュメモリ等の半導体メモリを記憶素子に用いるメモリカードより記憶素子に格納された画像データを読み出すメモリカードリーダ１３と、ユーザが持参した写真を光学的に読み取るスキャナ１４とを備えている。
【００１７】
また、この画像編集装置１０は、ＵＳＢフラッシュメモリリーダ１１、光ディスクドライブ１２、メモリカードリーダ１３、スキャナ１４から入力された画像データを表示すると共にユーザによって操作されるタッチパネル１５と、タッチパネル１５に表示する画像データを一時的に格納する画像メモリ１６と、印刷枚数や画像印刷時画像データの周囲に設けられるフレーム等のテンプレートの使用回数等のログデータを格納する記憶部１７と、全体の動作を制御する制御プログラムや画像データを装飾するフレーム等のテンプレート、画像データに追加する文字及び記号テーブル、及び色テーブルが格納されたＲＯＭ１８と、制御プログラムや選択されたフレーム等のテンプレート等が一時的にロードされるＲＡＭ１９と、所定の時間を計時するタイマ２０と、制御プログラムやユーザによって入力された操作信号に基づいて全体の動作を制御する制御部２１とを備えている。
【００１８】
また、画像編集装置１０は、プリンタ装置３０と印刷する画像データを出力するプリンタＩ／Ｆ２２と、インターネット等のネットワークを介して外部の管理装置４０等と通信を行う通信Ｉ／Ｆ２３とを備えている。
【００１９】
タッチパネル１５は、画像データ等を表示する表示部１５ａと、ユーザによって操作されることによって操作信号を発生する入力部１５ｂとを備えている。このタッチパネル１５は、指や専用のペンで画面に触れることで、指や専用のペンが触れた位置を検知して画面上の位置を指定し、制御部２１に操作信号を入力する。具体的には、圧力の変化を感知したり、静電気による電気信号を感知して画面上の位置を特定し、操作信号を発生する。
【００２０】
例えば、タッチパネル１５には、ＵＳＢフラッシュメモリ、光ディスク、メモリカード等に格納された複数の画像データをサムネイル表示し、表示されたサムネイル画像の一又は複数を選択できるようになっている。またタッチパネル１５には、選択されたサムネイル画像に係る画像データに合成する複数のフレームや選択されたフレームに追加する文字及び文字色を選択できるようになっている。
【００２１】
画像メモリ１６は、タッチパネル１５に表示する画像データを格納するメモリであって、例えば、選択された画像データの加工処理、例えばズーム処理、ズームする領域を移動する処理、画像データの回転処理、文字等のテキストデータの追加処理、フレームとの合成処理等を行ったとき、加工後の画像データを格納し、タッチパネル１５に出力する。
【００２２】
記憶部１７は、ハードディスク等で構成されており、印刷のログデータ等を記録する。例えば、記憶部１７には、ログデータとして、画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリリーダ１１、光ディスクドライブ１２、メモリカードリーダ１３等に装着されたリムーバル記録媒体に格納することもできる。また、記憶部１７には、フレーム等のデータが格納される。
【００２３】
ＲＯＭ１８は、ＥＰ−ＲＯＭ（Erasable Programmable Read-Only Memory）等でなり、読み込んだ画像データをサムネイル表示するためのブラウザ、画像データを加工するための加工プログラム等を格納している。そして、このような各種プログラムは、操作信号に応じてＲＡＭ１９に読み込まれる。
【００２４】
タイマ２０は、時刻や所定時間を計時する。例えば、タイマ２０によって、上述のログデータは、印刷時刻等に関連付けて記憶部１７に格納されることになる。また、所定期間内の印刷枚数や選択回数をカウントするとき、１箇月間等の所定期間をカウントする。
【００２５】
制御部２１は、ＣＰＵ等で構成されており、操作信号等に応じてプログラムに従った所定の演算処理を行う。
【００２６】
例えば、制御部２１は、タッチパネル１５で所定の単位画像が選択されると、選択された画像データを選択状態にし、表示状態を変える処理を行い、また、選択された画像データに対して加工処理の操作がされたとき、操作信号に応じて、選択された画像データに対して、ズーム処理、ズームする領域を移動する処理、画像データの回転処理、文字等のテキストデータの追加処理、フレームとの合成処理等を行う。
【００２７】
プリンタＩ／Ｆ２２は、プリンタ装置３０と有線又は無線で接続され、印刷する画像データをプリンタ装置３０に対して出力する。また、通信Ｉ／Ｆ２３は、インターネット等のネットワークを介して例えば管理装置４０と接続されている。例えば、通信Ｉ／Ｆ２３は、記憶部１７に格納されたログデータ等を管理装置４０に、ＴＣＰ／ＩＰ等所定のプロトコルに従って送信する。
【００２８】
プリンタＩ／Ｆ２２を介して画像編集装置１０と接続されるプリンタ装置３０は、図２に示すように、普通紙等に対してインクリボンの染料を昇華してカラー画像を形成するサーマルヘッド３１と、印刷する印刷データを画像編集装置１０のプリンタＩ／Ｆ２２より入力された画像データより生成する印刷データ生成部３２と、サーマルヘッド３１を駆動制御するヘッド制御部３３と、インクリボンを走行させるインクリボン走行部３４と、記録紙を搬送する記録紙搬送部３５とを備えている。
【００２９】
サーマルヘッド３１は、ロール紙等の幅方向に直線的に複数個の発熱素子が配列されており、印画データに応じた駆動電流が発熱素子に供給されることによって、複数の発熱素子を選択的に発熱させる。このサーマルヘッド３１は、プラテンと対峙しており、記録紙に対してインクリボンを圧接し、インクリボンの側から熱エネルギを印加することによって、染料等を昇華し、記録紙に染料を転写させる。
【００３０】
印刷データ生成部３２は、画像データを印刷データに変換する。具体的に、印刷データ生成部３２は、画像データをインク色であるＹＭＣ色空間に変換する色変換処理を施し、ロール紙の発色特性に合わせたガンマ変換処理等の所定の処理を行う。そして、ヘッド制御部３４は、印刷データ生成部３２で生成された印刷データに応じてサーマルヘッド３１の駆動信号を生成し、この駆動信号をサーマルヘッド３１に供給することによって、印刷する画像データに応じてサーマルヘッド３１を駆動制御する。なお、印刷データ生成部３２で行う処理は、画像編集装置１０で行い、生成された印刷データをプリンタ装置３０に出力してもよい。
【００３１】
また、インクリボン走行部３４は、リボンカートリッジに、供給リールと巻回リールとに巻回されたインクリボンを走行させる。ここで、インクリボンは、例えばイエロー、シアン、マゼンタ、ラミネートフィルムの順で走行方向に面順次で並んで設けられており、一組のイエロー、シアン、マゼンタ、ラミネートフィルムで一枚の写真を記録紙に形成するようになっている。
【００３２】
記録紙搬送部３５は、搬送ローラや複数の駆動ローラ等を有しており、ロール紙等の記録紙を、給紙部からサーマルヘッド３１を介して排紙部まで搬送する。記録紙には、画像を形成するため、イエロー、シアン、マゼンタ、ラミネートフィルムを順に転写する必要がある。そこで、記録紙搬送部３５は、先ず、記録紙をインクリボンと同期させて走行させることでイエローが記録紙に熱転写されると、次いで、記録紙を逆方向に走行させて頭出しをし、シアンがイエロー上に熱転写されるようにし、更に、記録紙を逆方向に走行させて頭出しをし、マゼンタがシアン上に熱転写されるようにし、これを繰り返して、イエロー、シアン、マゼンタ、ラミネートフィルムの順で記録紙に対して熱転写を行うことができるようにする。
【００３３】
次に、本発明が適用されたプリンタシステム１において、ユーザが持参したリムーバル記録媒体から画像データを読み出し、印刷に供する画像データとフレームとを合成する編集工程について説明する。画像編集装置１０は、操作待機状態においてはタッチパネル１５の表示部１５ａに、待機画面（図示せず）が表示され、この待機画面に表示されているスタートボタンがタッチされると、図３に示すメディア選択画面５０が表示される。
【００３４】
メディア選択画面５０は、画像データや印刷データを読み込むメディアを選択するための画面であり、ＵＳＢフラッシュメモリリーダ１１、光ディスクドライブ１２、メモリカードリーダ１３にそれぞれ装着されたＵＳＢメモリ、光ディスク、各種メモリカードを表すアイコンにタッチすることによりメディアを指定することができる。
【００３５】
画像データを読み込むメディアが指定されると、表示部１５ａには、図４に示すように、印刷メニュー画面５１が表示される。印刷メニュー画面５１は、読み込んだ画像データの印刷方法を選択するものであり、例えばＬサイズ（１２７ｍｍ×８９ｍｍ）、ＫＧサイズ（１５２ｍｍ×１０２ｍｍ）、２Ｌ（１７８ｍｍ×１２７ｍｍ）、Ａ４（２９７ｍｍ×２１０ｍｍ）などの印刷サイズ選択アイコン５１ａや、「Quick Print All Pictures」「Border」「Collage」「Scrapbook」などの特殊メニューアイコン５１ｂが表示される。
【００３６】
印刷サイズ選択アイコン５１ａは、印刷サイズを決定するためのアイコンであり、制御部２１は、選択されたサイズをデフォルトサイズとして設定し、ユーザが個々の画像データに対するサイズ変更操作を行わない限り、選択された画像データを印刷サイズ選択アイコン５１ａで設定されたデフォルトサイズで印刷する。
【００３７】
特殊メニューアイコン５１ｂのうち、「Quick Print All Pictures」アイコンは、読み込まれた全画像データを印刷するように設定するものである。また「Border」アイコンは、読み込まれた画像データに各種フレーム等のテンプレートを用いて装飾を施すように設定するものである。また「Collage」アイコンは、読み込まれた画像データの一部分又は全部を切り取り他に読み込まれた画像データに貼り付けることによって一枚の印刷画像を構成するように編集を行うものである。また「Scrapbook」アイコンは、読み込まれた画像データの一部分を切り取り他の画像データと共に一枚の印刷画面に貼り付けるなどの各種編集を施して印刷するためのものである。
【００３８】
その他の特殊メニューアイコン５１ｂは、上述した「Border」「Collage」「Scrapbook」などの編集を画像データ毎に施す「Creative Print」、画像データをＣＤ−Ｒ等の光ディスクに記録する「CD Creation」、全画像を一覧表示して印刷する「Index Print」等が表示される。なお、これら印刷サイズ選択アイコン５１ａのサイズや特殊メニューアイコン５１ｂのメニューは適宜追加、変更、削減することができる。
【００３９】
特殊メニューアイコン５１ｂのうち、「Border」アイコンがタッチされると、制御部２１は、タッチパネル１５の表示を図５に示すテンプレート選択画面５３に移行させる。テンプレート選択画面５３には、各種フレーム画像がフレーム表示シート５４に複数表示されている。フレーム表示シート５４は、フレームのデザイン種別毎に分類され、デザイン種別を示すタブ５４ａが設けられ、このタブ５４ａをタッチすることにより、他のフレームデザインが表示されたフレーム表示シート５４を表示することができる。
【００４０】
フレームデザインの種類には、装飾的なフレームが表示される「Decorative」、ハロウィンをモチーフとしたフレームが表示される「Halloween」、クリスマスや正月、誕生日や結婚等のイベントをモチーフとしたフレームが表示される「Special Events」、イベントの中でも出産の報告に適したフレームが表示される「Special Events-Baby」、スポーツをモチーフとしたフレームが表示される「Sports」等が用意されている。なお、これら各種フレームがデザイン種別毎に表示されるフレーム表示シートの種類は適宜追加、変更、削除することができる。
【００４１】
その他、テンプレート選択画面５３は、初期画面に戻る「Start Over」アイコン、印刷メニュー画面５１に戻る「Go Back」アイコン、操作不明時に使用する「Help ?」アイコンが表示されている。
【００４２】
ユーザがフレーム画面にタッチして使用するフレームを選択すると、フレームの表示枠が他の表示枠より太くなる、フレームの表示枠の背景色が他と変わる等して選択状態とされる。この状態で「OK」アイコンにタッチすると、制御部２１は、タッチパネル１５の表示を、図６に示す印刷画像選択画面５２に移行させる。このとき、制御部２１は、先に指定されたリムーバル記憶媒体に記憶されている画像データを、タッチパネル１５の表示部1５ａにサムネイル表示するために読み出し、画像メモリ１６に保存する。そして制御部２１は、図６に示す印刷画像選択画面５２に、所定の順番、例えば撮影日時の新しい順に、画像メモリ１６から読み出した画像データを表示部１５ａにサムネイル表示していく。
【００４３】
なお、制御部２１は、メモリカード内に画像データに関連したＤＰＯＦ（Ｄｉｇｉｔａｌ  Ｐｒｉｎｔ  Ｏｒｄｅｒ  Ｆｏｒｍａｔ）（登録商標）等の印刷データが作成されている場合は、かかる印刷データも読み出し、この印刷データが作成された画像データを優先してサムネイル表示するようにしてもよい。これにより、ユーザは、印刷を行う可能性の高い画像データから閲覧することができ、メモリカード内に保存されている膨大な画像データの中から印刷したい画像データを効率よく探し出すことができる。
【００４４】
以上のようにして、画像データがサムネイル表示されると、次いで、ユーザによって先に選択したフレームに合成する画像データが、そのサムネイルがタッチされることにより選択される。制御部２１は、選択されたサムネイルの表示枠を他よりも太くし、あるいは表示枠の背景色を変化させる等して選択状態とされたことを示す。制御部２１は、画像が選択され、「OK」アイコンがタッチされると、タッチパネル１５の表示を図７に示す印刷画像編集画面５５に移行する。
【００４５】
印刷画像編集画面５５は、選択されたフレーム８０と選択された画像８１とを合成した合成写真８２を表示する写真表示部５６と、フレーム８０に文字を追加するための文字追加アイコン５７と、追加した文字の色を変更する色選択パレット５８と、フレーム８０内における文字の位置を調整する調整ボタン５９と、文字サイズやフォント等を指定する文字修飾ボタン６０等が表示されている。
【００４６】
制御部２１は、写真表示部５６に、テンプレート選択画面５３で選択したフレーム８０と、印刷画像選択画面５２で選択したサムネイル画像８１とを合成して表示する。フレーム８０には、図７に示すように、選択されたサムネイル画像８１が表示される領域の周囲に各種レタリング文字８３やイラスト８４が配されているものもあり、さらにユーザ自身が文字を書き込めるスペースが設けられたものがある。ユーザは、文字追加アイコン５７にタッチすることにより、好きな文字をフレーム８０内に書き込むことができる。
【００４７】
制御部２１は、文字追加アイコン５７がタッチされると、図示しない文字パレットをタッチパネル１５に表示する。文字パレットは、ひらがな、カタカナ、アルファベット、記号、数字等のテーブルを備えるとともに漢字変換キー等を備え、ユーザがタッチパネル１５にタッチしていくことであらゆる文字を指定していくことができる。制御部２１は、図７に示すように、文字パレットで指定、決定された任意の文字列Ｌをフレーム８０内の所定スペースに合成して表示する。
【００４８】
フレーム８０に表示された文字列Ｌは、フレーム８０に予め記載されているレタリング文字８３の色と同色に自動的に設定される。フレーム８０に予め記載されているレタリング文字８３は、レタリングの種類やベース色との組み合わせも含め、無数の色の組み合わせの中からデザイナーによって吟味されて選択されたものであるため、後からユーザが書き加えた文字も、予め記載されたレタリング文字８３と同色とすることで、フレーム８０内における配色バランスを保つことができる。
【００４９】
制御部２１は、フレームデータとフレーム内の文字に使用されている色の色識別データとが関連づけて格納されているＲＯＭ１８を参照することにより、選択されたフレームデータに応じて色識別データを抽出する。そして、制御部２１は、ユーザによって入力された文字の色を当該フレーム８０内の文字色と同色に設定し、タッチパネル１５に表示するとともに、当該合成画像を画像メモリ１６に格納する。
【００５０】
なお、文字パレットより入力された文字の色は、色選択パレット５８に表示された色を指定することにより、フレーム８０に用いられている文字色から変更することができる。制御部２１は、色選択パレット５８に、フレーム８０内に追加された文字を着色する複数、例えば８色の色候補を表示し、ユーザがタッチした色に文字色を変更し、画像メモリ１６に格納する。これにより、ユーザの嗜好に合った文字色に変更することができる。なお、色選択パレット５８に表示される色は、赤、青、黄色、黒等の一般に多く選択される色が選択される。
【００５１】
調整ボタン５９は、フレーム８０内にユーザによって記載された文字列Ｌの位置を調整するものである。制御部２１は、ユーザが上下左右のアイコンにタッチすることによって文字列Ｌの表示位置をタッチされたアイコンの方向へ微動させる。
【００５２】
文字修飾ボタン６０は、文字のフォントやサイズ等を変更するためのアイコンであり、フォント変更ボタン６０ａと、文字サイズ変更ボタン６０ｂと、文字を太字にする太字ボタン６０ｃ、文字を斜体にする斜体ボタン６０ｄ、文字にアンダーラインを施す下線ボタン６０ｅが配設されている。制御部２１は、これら各種ボタン６０ａ〜６０ｅがタッチされると、タッチされたボタンに応じて文字列Ｌを修飾する。
【００５３】
制御部２１は、以上の印刷画像編集画面５５における、フレーム８０とサムネイル画像８１との合成、及びフレーム８０内に追加した文字列Ｌの修飾等の編集が終了し、画面右下にある「OK」アイコンがタッチされると、印刷画像編集画面５５を閉じて、図示しないオーダー確認画面に移行する。制御部２１は、オーダー確認画面において、注文された枚数とその料金を印刷サイズ毎に表示するとともに、トータルの金額を表示する。このオーダー確認画面においてＯＫボタンがタッチされると、プリンタ装置３０によって写真が印刷される。
【００５４】
なお、本発明が適用された画像編集装置１０の印刷画像編集画面５５において、ユーザによって入力された文字列Ｌの色は、選択されたフレーム８０に予め記された文字の色に設定するのみならず、フレーム８０に使用されている色から選択してもよい。すなわち、図７において、ユーザによってフレーム８０内に書き加えられた文字列Ｌの色を設定する際に、当該フレーム８０の一部をユーザがタッチすることにより当該タッチした位置の色を指定するようにしてもよい。
【００５５】
制御部２１は、タッチパネル１５にタッチされた位置を検出し、当該検出位置におけるフレーム８０の色識別データを抽出する。そして、制御部２１は、ユーザによって入力された文字の色を抽出した色識別データに応じた色に設定し、タッチパネル１５に表示する。
【００５６】
このように、フレーム８０内に追加された文字列Ｌの色を、フレーム８０に使用された色から選択することにより、配色バランスを崩すことのない文字色を容易に選択することが可能となる。なおフレーム８０にレタリング文字８３が予め記載されている場合には、当該文字８３を指定することで、この文字８３に使用されている色と同色で追加文字列Ｌが着色され、フレーム８０にイラスト８４や背景８５が記載されている場合には、当該イラスト８４や背景８５を指定することで、このイラスト８４や背景８５に使用されている色と同色で追加文字が着色される。
【００５７】
なお、フレーム８０に使用された色を指定する際には、タッチパネル１５を直接ユーザがタッチして指定する以外にも、スポイトツールを用いてフレーム８０の一部を指定することもできる。
【図面の簡単な説明】
【００５８】
【図１】本発明が適用されたプリントシステムを示す斜視図である。
【図２】プリントシステムのブロック図である。
【図３】メディア選択画面を示す図である。
【図４】印刷メニュー画面を示す図である。
【図５】テンプレート選択画面を示す図である。
【図６】印刷画像選択画面を示す図である。
【図７】印刷画像編集画面を示す図である。
【符号の説明】
【００５９】
１  プリントシステム、１０  画像編集装置、１５  タッチパネル、３０  プリンタ装置、５０  メディア選択画面、５１  印刷メニュー画面、５２  印刷増選択画面、５３  テンプレート選択画面、５４  フレーム表示シート、５５  印刷画像編集画面、５６  写真表示部、５７  文字追加アイコン、５８  色選択パレット
【図１】
2009088932.tif 000003
【図２】
2009088932.tif 000004
【図３】
2009088932.tif 000005
【図４】
2009088932.tif 000006
【図５】
2009088932.tif 000007
【図６】
2009088932.tif 000008
【図７】
2009088932.tif 000009